(57)【要約】  【課題】土案内体と畦形成手段との間から土が逃げることを防止できる畦塗り機を提供する。  【解決手段】畦塗り機１は、土を耕耘して盛り上げる盛土手段７と、盛土手段７の後方位置で土を締め固めて畦を形成する畦形成手段８とを備える。畦塗り機１は、盛土手段７で耕耘した土を畦形成手段８に向けて案内する土案内体21を備える。土案内体21の後端部が畦形成手段８の外周縁部の外面側位置に位置する状態と、土案内体21の後端部が畦形成手段８の外周縁部の内面側位置に位置する状態とに切換え可能となっている。  【選択図】図１
2006101793.tif 000002
【特許請求の範囲】
【請求項１】
土を耕耘して盛り上げる盛土手段と、
この盛土手段にて盛り上げられた土を締め固めて畦を形成する畦形成手段と、
前記盛土手段にて耕耘された土を前記畦形成手段に向けて案内する土案内体とを備え、
前記土案内体の前記畦形成手段側の端部が前記畦形成手段の外周縁部の外面側位置に位置する状態と、前記土案内体の前記畦形成手段側の端部が前記畦形成手段の外周縁部の内面側位置に位置する状態とに切換え可能となっている
ことを特徴とする畦塗り機。
【請求項２】
土を耕耘して盛り上げる盛土手段と、
この盛土手段にて盛り上げられた土を締め固めて畦を形成する畦形成手段と、
前記盛土手段にて耕耘された土を前記畦形成手段に向けて案内する土案内体とを備え、
前記土案内体は、この土案内体の前記畦形成手段側の端部が前記畦形成手段の外周縁部の外面側位置に位置するように設けられている
ことを特徴とする畦塗り機。
【請求項３】
土案内体は、
被取付部に取り付けられた第１剛性板部と、
この第１剛性板部の端部から畦形成手段側に向って突出する第２剛性板部とを有する
ことを特徴とする請求項１または２記載の畦塗り機。
【発明の詳細な説明】
【技術分野】
【０００１】
本発明は、土案内体と畦形成手段との間から土が逃げることを防止可能な畦塗り機に関するものである。
【背景技術】
【０００２】
従来、例えば土を耕耘して盛り上げる盛土手段と、盛土手段にて盛り上げられた土を締め固めて畦を形成する畦形成手段と、畦形成手段側の端部（自由端部）が畦形成手段の外周縁部の内面側位置に位置するように盛土手段の後部に設けられ盛土手段にて耕耘された土を畦形成手段に向けて案内する弾性板体からなる土案内体（土流ガイド）とを備えた畦塗り機が知られている（例えば、特許文献１参照）。
【特許文献１】特開平１０−４７１０号公報
【発明の開示】
【発明が解決しようとする課題】
【０００３】
しかしながら、上記従来の畦塗り機では、弾性板体からなる土案内体の畦形成手段側の端部が畦形成手段の外周縁部の内面側位置に位置するため、土案内体と畦形成手段との間から土が逃げやすいという問題がある。
【０００４】
本発明は、このような点に鑑みなされたもので、土案内体と畦形成手段との間から土が逃げることを防止できる畦塗り機を提供することを目的とする。
【課題を解決するための手段】
【０００５】
請求項１記載の畦塗り機は、土を耕耘して盛り上げる盛土手段と、この盛土手段にて盛り上げられた土を締め固めて畦を形成する畦形成手段と、前記盛土手段にて耕耘された土を前記畦形成手段に向けて案内する土案内体とを備え、前記土案内体の前記畦形成手段側の端部が前記畦形成手段の外周縁部の外面側位置に位置する状態と、前記土案内体の前記畦形成手段側の端部が前記畦形成手段の外周縁部の内面側位置に位置する状態とに切換え可能となっているものである。
【０００６】
そして、土案内体の畦形成手段側の端部が畦形成手段の外周縁部の外面側位置に位置する状態に切り換えることによって、土案内体と畦形成手段との間から土が逃げることを防止可能である。
【０００７】
請求項２記載の畦塗り機は、土を耕耘して盛り上げる盛土手段と、この盛土手段にて盛り上げられた土を締め固めて畦を形成する畦形成手段と、前記盛土手段にて耕耘された土を前記畦形成手段に向けて案内する土案内体とを備え、前記土案内体は、この土案内体の前記畦形成手段側の端部が前記畦形成手段の外周縁部の外面側位置に位置するように設けられているものである。
【０００８】
そして、土案内体の畦形成手段側の端部が畦形成手段の外周縁部の外面側位置に位置するため、土案内体と畦形成手段との間から土が逃げることを防止可能である。
【０００９】
請求項３記載の畦塗り機は、請求項１または２記載の畦塗り機において、土案内体は、被取付部に取り付けられた第１剛性板部と、この第１剛性板部の端部から畦形成手段側に向って突出する第２剛性板部とを有するものである。
【００１０】
そして、土案内体が被取付部に取り付けられた第１剛性板部とこの第１剛性板部の端部から畦形成手段側に向って突出する第２剛性板部とを有するため、土案内体にて土を適切に案内することが可能である。
【発明の効果】
【００１１】
請求項１に係る発明によれば、土案内体の畦形成手段側の端部が畦形成手段の外周縁部の外面側位置に位置する状態に切り換えることによって、土案内体と畦形成手段との間から土が逃げることを防止できる。
【００１２】
請求項２に係る発明によれば、土案内体の畦形成手段側の端部が畦形成手段の外周縁部の外面側位置に位置するため、土案内体と畦形成手段との間から土が逃げることを防止できる。
【００１３】
請求項３に係る発明によれば、土案内体が被取付部に取り付けられた第１剛性板部とこの第１剛性板部の端部から畦形成手段側に向って突出する第２剛性板部とを有するため、土案内体にて土を適切に案内できる。
【発明を実施するための最良の形態】
【００１４】
本発明の畦塗り機の一実施の形態を図面を参照して説明する。
【００１５】
図１において、１は畦塗り機で、この畦塗り機１は、走行車であるトラクタ（図示せず）に連結して使用する牽引式のものである。そして、畦塗り機１は、トラクタの走行により圃場上を畦に沿って進行方向に移動しながら、畦塗り作業（畦修復作業）をするものである。
【００１６】
畦塗り機１は、トラクタの３点リンク部に連結された３点連結部２を有する機体３を備えている。
【００１７】
機体３の軸受部４には入力軸５が回転可能に設けられ、この入力軸５にはトラクタのＰＴＯ軸がユニバーサルジョイントおよび伝動シャフト等を介して接続されている。
【００１８】
また、機体３の一側部における進行方向前側には入力軸５側からの動力を受けて所定方向に駆動回転しながら土を耕耘して盛り上げる盛土手段（ロータリ）７が回転可能に設けられ、機体３の一側部における進行方向後側には入力軸５側からの動力を受けて所定方向に駆動回転しながら盛土手段７にて盛り上げられた土を締め固めて畦を形成する畦形成手段（ディスク）８が回転可能に設けられている。
【００１９】
盛土手段７は、機体３の耕耘軸支持部11にて回転可能に支持された前後方向の耕耘軸12を有し、この耕耘軸12には旧畦および圃場表面部の土を耕耘して盛り上げる複数の耕耘爪13が耕耘軸12と一体となって回転するように設けられている。なお、盛土手段７の上方部は上方部カバー14にて覆われ、盛土手段７の側方部は側方部カバー15にて覆われている。
【００２０】
畦形成手段８は、機体３の回転軸支持部（図示せず）にて回転可能に支持された左右方向の回転軸17を有している。回転軸17には、盛土手段７の耕耘爪13にて盛り上げられた土を締め固めて水平面状の畦上面を形成する略円筒状の上面形成体18と盛土手段７の耕耘爪13にて盛り上げられた土を締め固めて傾斜面状の畦側面を形成する略円錐台状の側面形成体19とがそれぞれ回転軸17と一体となって回転するように設けられている。側面形成体19は、上面形成体18側に向って縮径した略円錐台状のもので、この側面形成体19の縮径端部に上面形成体18が設けられている。また、側面形成体19の外周縁部の上側一部がカバー20にて覆われている。
【００２１】
また一方、畦塗り機１は、盛土手段７の耕耘爪13にて耕耘された土を畦形成手段８の側面形成体19に向けて案内する剛性板からなる土案内体（土止め板）21を備えている。
【００２２】
そして、この土案内体21は、その土案内体21の畦形成手段８側の端部（進行方向後端部である自由端部）が畦形成手段８の側面形成体19の外周縁部の外面側位置に位置する状態（図３に示す状態）とその土案内体21の畦形成手段８側の端部が畦形成手段８の側面形成体19の外周縁部の内面側位置に位置する状態（図４に示す状態および図５に示す状態）とに機体３の被取付板部23に対する付け替えにより切換え可能となっている。
【００２３】
ここで、図２ないし図５に示すように、機体３の耕耘軸支持部11は、進行方向前方を向いた垂直面状の被取付部である被取付板部23を有し、この被取付板部23は矩形板の下側一角部が三角状に切り欠かれた形状のものである。
【００２４】
また、土案内体21は、例えば機体３の耕耘軸支持部11の被取付板部23に対して着脱可能なもので、この被取付板部23に固定具（脱着ピン、或いはボルト・ナット等）24にて固定された状態として取り付けられた第１剛性板部26と、この第１剛性板部26の側端部から畦形成手段８側（進行方向後方）に向って一体に突出し第１剛性板部26と略直交状に位置する第２剛性板部27とにて構成されている。なお、第１剛性板部26の表面および第２剛性板部27の表面には、土が付着しにくい合成樹脂板（図示せず）が貼着されている。
【００２５】
機体３の被取付板部23には複数の孔部、すなわち例えば第１孔部31、第２孔部32、第３孔部33および第４孔部34が形成され、土案内体21の第１剛性板部26には複数の孔部、すなわち例えば第１孔部41、第２孔部42および第３孔部43が形成され、それら孔部31，32，33，34，41，42，43の中から選択された所望の孔部に固定具24，24が差し込まれている。
【００２６】
図３に示す状態では、互いに対向した被取付板部23の第１孔部31および第１剛性板部26の第１孔部41に対して固定具24が差し込まれているとともに、互いに対向した被取付板部23の第４孔部34および第１剛性板部26の第２孔部42に対して固定具24が差し込まれている。
【００２７】
なお、この図３に示す状態では、土案内体21の垂直面状の第２剛性板部27の進行方向後端部つまり第２剛性板部27の突出先端部が側面形成体19の外周縁部の外面側位置にその外面と近接して位置し、その土案内体21は被取付板部23と側面形成体19の外周縁部とに略跨った状態として配設されている。また、この図３に示す状態では、土案内体21の第１剛性板部26の下端部が被取付板部23の下端部と略同じ高さ位置に位置する。
【００２８】
図４に示す状態では、互いに対向した被取付板部23の第２孔部32および第１剛性板部26の第１孔部41に対して固定具24が差し込まれているとともに、互いに対向した被取付板部23の第３孔部33および第１剛性板部26の第２孔部42に対して固定具24が差し込まれている。
【００２９】
なお、この図４に示す状態では、土案内体21の傾斜面状の第２剛性板部27の進行方向後端部が側面形成体19の外周縁部の内面側位置に位置し、土案内体21の第２剛性板部27と側面形成体19の外周縁部の内面との間には前方視で略三角形状の間隙45が形成されている。
【００３０】
図５に示す状態では、互いに対向した被取付板部23の第２孔部32および第１剛性板部26の第１孔部41に対して固定具24が差し込まれているとともに、互いに対向した被取付板部23の第３孔部33および第１剛性板部26の第３孔部43に対して固定具24が差し込まれている。
【００３１】
なお、この図５に示す状態では、土案内体21の傾斜面状の第２剛性板部27の進行方向後端部が側面形成体19の外周縁部の内面側位置に位置し、土案内体21の第２剛性板部27と側面形成体19の外周縁部の内面との間には前方視で略三角形状の間隙（図４に示す状態での間隙45より大きい）46が形成されている。
【００３２】
次に、上記畦塗り機１の作用等を説明する。
【００３３】
畦塗り機１がトラクタの走行により圃場上を畦に沿って進行方向に移動すると、盛土手段７の耕耘爪13にて旧畦および圃場表面部の土が耕耘されて旧畦上に盛り上げられる。
【００３４】
そして、この盛土手段７の耕耘爪13にて盛り上げられた土が、上面形成体18および側面形成体19にて締め固められて畦上面および畦側面が形成され、これにより、旧畦が修復され、新たな畦が形成される。
【００３５】
このとき、図３に示すように、土案内体21の進行方向後端部が畦形成手段８の側面形成体19の外周縁部の外面側位置に位置する状態に土案内体21を機体３の被取付板部23に固定した場合には、盛土手段７の耕耘爪13にて耕耘された土は、その土案内体21にて畦形成手段８の側面形成体19に向けて案内され、土案内体21と畦形成手段８の側面形成体19との間から逃げるようなことがない。その結果、畦塗り作業の残土が耕耘跡（圃場表面部に形成される凹状の耕耘溝）に残らず、その耕耘跡を排水溝として使用することが可能となる。また、代掻き前の水まわりをはやくする作用がある。
【００３６】
なお、圃場の土質によっては（例えば砂質の場合）、第２剛性板部27および側面形成体19間に間隙がない図３に示す状態にすると、畦上面がかたく締らない場合があり、この場合には、土案内体21の状態を図４に示す状態或いは図５に示す状態に切り換える。
【００３７】
そして、上記畦塗り機１によれば、機体３の被取付板部23に対する土案内体21の付け替えにより土案内体21の畦形成手段８側の端部が畦形成手段８の側面形成体19の略円形環状の外周縁部の外面側位置に位置する状態に切り換えることによって、土案内体21と畦形成手段８の側面形成体19との間から土が逃げるのを防止でき、よって、畦塗り作業の残土が圃場表面部の耕耘跡に残らないようにでき、畦塗り作業後の耕耘跡を排水溝として使用することができ、また、代掻き前の水まわりをはやくすることができる。
【００３８】
なお、例えば図６に示すように、土案内体21の状態を容易に切り換えることができるように、第１孔部31と第２孔部32とをつなげて１つの長孔部30としてもよい。
【００３９】
また、例えば図７に示すように、土案内体21の畦形成手段８側の端部（進行方向後端部である自由端部）が畦形成手段８の側面形成体19の外周縁部の外面側位置に位置するように土案内体21を機体３の耕耘軸支持部11の被取付板部23に固定具或いは溶接等により固定して設けた構成としてもよい。なお、図示しないが、土案内体21を機体３の耕耘軸支持部11に一体に設けた構成でもよい。
【００４０】
さらに、畦塗り機１は、圃場の端部でも畦塗り作業ができるようにトラクタの後退走行に基づいて畦塗り作業をするリターン作業可能なものでもよく、またリターン作業できないものでよい。
【図面の簡単な説明】
【００４１】
【図１】本発明の畦塗り機の一実施の形態を示す斜視図である。
【図２】同上畦塗り機の土案内体を被取付部から取り外した状態の前面図である。
【図３】同上畦塗り機の土案内体を被取付部に取り付けた状態の前面図である。
【図４】同上畦塗り機の土案内体を被取付部に取り付けた状態の前面図である。
【図５】同上畦塗り機の土案内体を被取付部に取り付けた状態の前面図である。
【図６】本発明の畦塗り機の他の実施の形態を示す要部前面図である。
【図７】本発明の畦塗り機のさらに他の実施の形態を示す要部前面図である。
【符号の説明】
【００４２】
１    畦塗り機
７    盛土手段
８    畦形成手段
21    土案内体
23    被取付部である被取付板部
26    第１剛性板部
27    第２剛性板部
【図１】
2006101793.tif 000003
【図２】
2006101793.tif 000004
【図３】
2006101793.tif 000005
【図４】
2006101793.tif 000006
【図５】
2006101793.tif 000007
【図６】
2006101793.tif 000008
【図７】
2006101793.tif 000009